(57)【要約】【課題】本発明は多様化する住宅デザイン等にマッチしたＡＬＣパネル（意匠パネル）を顧客の要望に応じて容易・迅速に設計および生産できるようにする。【解決手段】予め加工機の制御用コンピュータＣ１に記憶させた複数種類の表面テクスチャー加工プログラム１５ａ〜１５ｃを選択的に適用することによって所望の表面テクスチャーを有する意匠パネル１を自動生産する加工機と、その加工機で形成される複数種類の表面テクスチャーを画像データとして記憶部に記憶し、かつ、その記憶した画像データを選択的に組み合わせて所望の意匠パネルを表示部の表示画面上でシミュレーション設計する設計用コンピュータＣ２とを備え、上記設計用コンピュータＣ２で設計した意匠パネルに基づいて、その意匠パネルを生産するのに必要な加工情報を上記加工機制御用コンピュータＣ１に送信して上記加工機で上記意匠パネルを自動的に生産する。【選択図】  図１
2007279874.tif 000002
【特許請求の範囲】
【請求項１】
コンピュータを用いてＡＬＣパネルの意匠を設計し、生産するシステムであって、
予め加工機の制御用コンピュータに記憶させた複数種類の表面テクスチャー加工プログラムを選択的に適用することによって所望の表面テクスチャーを有する意匠パネルを自動生産する加工機と、
その加工機で形成される複数種類の表面テクスチャーを画像データとして記憶部に記憶し、かつ、その記憶した画像データを選択的に組み合わせて所望の意匠パネルを表示部の表示画面上でシミュレーション設計する設計用コンピュータとを備え、
上記設計用コンピュータで設計した意匠パネルに基づいて、その意匠パネルを生産するのに必要な加工情報を上記加工機の制御用コンピュータに送信して上記加工機で上記意匠パネルを自動的に生産するように構成したことを特徴とするＡＬＣパネルの意匠設計及び生産システム。
【請求項２】
上記ＡＬＣパネルの必要性能を確保するための切削率の限界値である容積欠損率の許容下限値を上記設計用コンピュータに予め記憶させておき、上記設計用コンピュータでシミュレーション設計した意匠パネルの容積欠損率が上記の許容下限値を下回ったときに警告を発して再設計を促すことを特徴とする請求項３または４に記載のＡＬＣパネルの意匠設計及び生産システム。
【請求項３】
コンピュータを用いてＡＬＣパネルの意匠を設計し、生産する方法であって、
予め加工機の制御用コンピュータに記憶させた複数種類の表面テクスチャー加工プログラムを選択的に適用することによって所望の表面テクスチャーを有する意匠パネルを自動生産する加工機と、
その加工機で形成される複数種類の表面テクスチャーを画像データとして記憶部に記憶し、かつ、その記憶した画像データを選択的に組み合わせて所望の意匠パネルを表示部の表示画面上でシミュレーション設計する設計用コンピュータとを備え、
上記設計用コンピュータで作業者が顧客の希望する意匠パネルを設計し、その設計した意匠パネルを生産するのに必要な加工情報を上記加工機の制御用コンピュータに送信して上記加工機で上記意匠パネルを自動的に生産することを特徴とするＡＬＣパネルの意匠設計及び生産方法。
【請求項４】
上記設計用コンピュータで作業者が顧客の希望する意匠パネルを設計する際に、上記複数種類の表面テクスチャーの現物写真または現物見本を顧客に提示することを特徴とする請求項３に記載のＡＬＣパネルの意匠設計及び生産方法。
【請求項５】
上記ＡＬＣパネルの必要性能を確保するための切削率の限界値である容積欠損率の許容下限値を上記設計用コンピュータに予め記憶させておき、上記設計用コンピュータでシミュレーション設計した意匠パネルの容積欠損率が上記の許容下限値を下回ったときに警告を発して再設計を促すことを特徴とする請求項３または４に記載のＡＬＣパネルの意匠設計及び生産方法。
【発明の詳細な説明】
【技術分野】
【０００１】
本発明は、コンピュータを用いてＡＬＣパネルの意匠設計及び生産システム並びに意匠設計及び生産方法に関する。
【背景技術】
【０００２】
ＡＬＣパネルは、耐火性、断熱性に優れた建材として、主として住宅やビルなどの外壁に広く用いられている。また従来より、住宅やビルなどの建築物の意匠性を高めるためにＡＬＣパネルの表面に切削加工等を施すことが提案され、生産されてきた。例えば、上記のような意匠加工の方法として、本出願人は先に下記特許文献１，２に開示されているような表面加工方法や加工装置を用いて意匠パネルを生産している。
【０００３】
【特許文献１】特開２００４−３４６６９９号公報
【特許文献２】特開２００４−２７０３００号公報
【発明の開示】
【発明が解決しようとする課題】
【０００４】
ところが、従来は上記のような表面加工方法や加工装置を用いて予め設計された意匠のパネルを生産して販売するものであるから、意匠が画一化しやすく、多様性に欠ける嫌いがある。これに対し、建築物のデザインは、近年ますます多様化する傾向にあり、従来の予め設計された意匠からの選択のみでは、多様化する住宅デザイン等に充分に対応することができない等の不具合があった。また住宅デザイン等にマッチした意匠パネルを顧客の要望に応じて提案したり、提供するのが困難であったり、多大な労力と時間を要する等の問題があった。
【０００５】
本発明は上記の問題点に鑑みて提案されたもので、多様化する住宅デザイン等にマッチした意匠パネルを顧客の要望に応じて容易・迅速に提案できると共に、上記意匠パネルを容易・迅速に生産することのできるＡＬＣパネルの意匠設計及び生産システム並びに意匠設計及び生産方法を提供することを目的とする。
【課題を解決するための手段】
【０００６】
上記の目的を達成するために、本発明によるＡＬＣパネルの意匠設計及び生産システム並びに意匠設計及び生産方法は、以下の構成としたものである。即ち、本発明によるＡＬＣパネルの意匠設計及び生産システムは、コンピュータを用いてＡＬＣパネルの意匠を設計し、生産するシステムであって、予め加工機の制御用コンピュータに記憶させた複数種類の表面テクスチャー加工プログラムを選択的に適用することによって所望の表面テクスチャーを有する意匠パネルを自動生産する加工機と、その加工機で形成される複数種類の表面テクスチャーを画像データとして記憶部に記憶し、かつ、その記憶した画像データを選択的に組み合わせて所望の意匠パネルを表示部の表示画面上でシミュレーション設計する設計用コンピュータとを備え、上記設計用コンピュータで設計した意匠パネルに基づいて、その意匠パネルを生産するのに必要な加工情報を上記加工機の制御用コンピュータに送信して上記加工機で上記意匠パネルを自動的に生産するように構成したことを特徴とする。
【０００７】
また上記のＡＬＣパネルの意匠設計及び生産システムにおいて、ＡＬＣパネルの必要性能を確保するための切削率の限界値である容積欠損率の許容下限値を上記設計用コンピュータに予め記憶させておき、上記設計用コンピュータでシミュレーション設計した意匠パネルの容積欠損率が上記の許容下限値を下回ったときに警告を発して再設計を促すことを特徴とする。
【０００８】
さらに本発明によるＡＬＣパネルの意匠設計及び生産方法は、コンピュータを用いてＡＬＣパネルの意匠を設計し、生産する方法であって、予め加工機の制御用コンピュータに記憶させた複数種類の表面テクスチャー加工プログラムを選択的に適用することによって所望の表面テクスチャーを有する意匠パネルを自動生産する加工機と、その加工機で形成される複数種類の表面テクスチャーを画像データとして記憶部に記憶し、かつ、その記憶した画像データを選択的に組み合わせて所望の意匠パネルを表示部の表示画面上でシミュレーション設計する設計用コンピュータとを備え、上記設計用コンピュータで作業者が顧客の希望する意匠パネルを設計し、その設計した意匠パネルを生産するのに必要な加工情報を上記加工機の制御用コンピュータに送信して上記加工機で上記意匠パネルを自動的に生産することを特徴とする。
【０００９】
また上記のＡＬＣパネルの意匠設計及び生産方法において、上記設計用コンピュータで作業者が顧客の希望する意匠パネルを設計する際に、上記複数種類の表面テクスチャーの現物写真または現物見本を顧客に提示するようにしたことを特徴とする。さらに上記のＡＬＣパネルの意匠設計及び生産方法において、ＡＬＣパネルの必要性能を確保するための切削率の限界値である容積欠損率の許容下限値を上記設計用コンピュータに予め記憶させておき、上記設計用コンピュータでシミュレーション設計した意匠パネルの容積欠損率が上記の許容下限値を下回ったときに警告を発して再設計を促すことを特徴とする。
【発明の効果】
【００１０】
上記のように構成された本発明によれば、加工可能な複数種類の表面テクスチャーを選択的に組み合わせた意匠パネルをシミュレーションにより設計することで、多様化する住宅やビルのデザインにマッチした意匠パネルを顧客に容易・迅速に提供することが可能となると共に、その意匠パネルを容易・迅速に生産することができる。また、ＡＬＣパネルの必要な性能を確保するための切削率の限界値を下回ったときに警告を発して再設計を促すようにすれば、上記の限界値以下のパネルの生産が防止され、性能面でも安心できる信頼性の高いパネルを提供することが可能となる。
【発明を実施するための最良の形態】
【００１１】
以下、図に示す実施形態に基づいて本発明を具体的に説明する。図１は本発明によるＡＬＣパネルの意匠設計及び生産システムの一部であるコンピュータシステムの一例を示すもので、図に省略した加工機を制御する制御用コンピュータＣ１と、所望の表面テクスチャー（加工パターン）を有するＡＬＣパネル（以下、意匠パネルという）をシミュレーション設計するための設計用コンピュータＣ２とからなり、その両コンピュータＣ１，Ｃ２は互いにオンラインもしくはＬＡＮ等のネットワークで接続されている。
【００１２】
上記の加工機制御用コンピュータＣ１には、ＣＰＵ等の情報処理部１０と、液晶ディスプレイ等の表示部１１と、キーボードやマウス等の入力部１２と、ハードディスク等の記憶部１３などが設けられ、その記憶部１３には加工機制御プログラム１４と表面テクスチャー加工プログラム１５ａ〜１５ｃ等が格納されている。図２は上記加工機で形成する表面テクスチャーの一例を示すもので、同図（ａ）〜（ｃ）の表面テクスチャーＡ〜Ｃを加工して形成するのが、上記図１における表面テクスチャーＡ〜Ｃの加工プログラム１５ａ〜１５ｃである。
【００１３】
因みに図２（ａ）はパネル１の表面に形成される自然石調の表面テクスチャーＡの例、同図（ｂ）はパネル１の表面に規則的な切削加工を施した表面テクスチャーＢの例、同図（ｃ）はパネル１の表面にタイルを模した横長の長方形状の領域１ａを縦横に規則的に設け、それ以外の領域１ｂを目地を模した凹溝状に形成してなる表面テクスチャーＣの例である。前記加工機は上記以外の表面テクスチャーも加工可能であり、それらの表面テクスチャーを加工するプログラムが上記コンピュータＣ１の記憶部１３に格納されいるが図には省略した。
【００１４】
上記の表面テクスチャーＡ〜Ｃ等を加工するプログラム１５ａ〜１５ｃ等は、加工機制御用プログラム１４によって実行および制御され、それによって図に省略した加工機を制御してＡＬＣパネル１の表面の所望の領域に表面テクスチャーＡ〜Ｃ等を自動的に形成できるように構成されている。なお、上記の加工機制御プログラム１４と表面テクスチャー加工プログラム１５ａ〜１５ｃ等とを１つのプログラムとして構成してもよい。また上記の加工機制御用コンピュータＣ１および加工機制御プログラム１４は、必ずしも意匠加工専用に構成されたものでなくてもよく、例えばＡＬＣパネルの生産工程全体または一部の工程を制御するコンピュータやプログラムと合体もしくは組み合わせて構成されたものであってもよい。
【００１５】
一方、前記の設計用コンピュータＣ２には、ＣＰＵ等の情報処理部２０と、液晶ディスプレイ等の表示部２１と、キーボードやマウス等の入力部２２と、ハードディスク等の記憶部２３などが設けられ、その記憶部２３には、表面テクスチャー保存テーブル２４と、意匠パネル設計プログラム２５と、意匠パネル加工情報自動送信プログラム２６等が格納されている。
【００１６】
上記の表面テクスチャー保存テーブル２４には、前記の加工機および表面テクスチャー加工プログラム１５ａ〜１５ｃ等でパネル表面に形成される表面テクスチャーＡ〜Ｃ等の画像データが保存され、特に本実施形態においては実際に加工した表面テクスチャーＡ〜Ｃ等の写真画像が保存されている。また意匠パネル設計プログラム２５は、上記の画像データを選択的に抽出して、それらの画像データを、上記液晶ディスプレイ等の表示部２１の表示画面上に表示したパネル表面の所望の領域に、例えばコピー・アンド・ペースト等で貼付けることによって、好みの意匠パネルを任意にシミュレーション設計できるように構成されている。
【００１７】
図３は上記の意匠パネル設計プログラム２５でシミュレーション設計した意匠パネルの一例を示すもので、本例は横長に配置したＡＬＣパネル１の表面全面に前記図２（ｃ）の表面テクスチャーＣを適用し、その表面テクスチャーＣの横長の長方形状の領域１ａに、前記図２（ａ）の表面テクスチャーＡと同図（ｂ）の表面テクスチャーＢを選択的に貼付けたものである。なお、上記の表面テクスチャーＡ，Ｂを貼付けた以外の長方形状の領域１ａはＡＬＣパネルの地模様の状態をあらわす。
【００１８】
また前記の意匠パネル加工情報自動送信プログラム２６は、上記のようにしてシミュレーション設計した意匠パネルに基づいて、その意匠パネルを前記加工機で加工生産するのに必要な加工条件等の加工情報を、上記の加工機制御用コンピュータＣ１に自動的に送信するもので、上記の加工情報としては例えば上記意匠パネルに適用した表面テクスチャー毎の加工領域や加工深さ及び加工速度、並びに表面テクスチャーの加工順序等、上記意匠パネルを前記加工機およびその制御用コンピュータで加工生産するのに必要な情報を送信する。
【００１９】
上記加工情報の送信時期は適宜であるが、例えば上記意匠パネルの生産指示と同時に送信するように構成するとよい。そのようにすると、上記の生産指示で加工機制御用コンピュータＣ１の加工機制御プログラム１４が起動し、その制御プログラム１４が、引き続き送られてくる上記の加工情報を順次読み込みながら加工機を制御して上記意匠パネルを自動生産することができる。ただし、上記の生産指示で直ちに生産を開始しない場合、または開始できない場合には、上記の加工情報を加工機制御用コンピュータＣ１の記憶部１３等に保存し、上記制御プログラム１４で加工機を制御しながら意匠パネルを生産する際に、上記加工情報を順次読み取りながら自動生産するようにすればよい。
【００２０】
なお、前記意匠パネル加工情報自動送信プログラム２６で送信する加工情報としては、上記のような表面テクスチャーの加工順序や加工領域および加工深さ等の加工条件は送信することなく、シミュレーション設計した意匠パネルの構成、特に表面テクスチャーの種類と配置構成のみを加工機制御用コンピュータＣ１に送信して、上記の加工条件は上記加工機制御用コンピュータＣ１内の加工機制御プログラム１４や他のプログラムで策定して自動生産するようにしてもよい。また前記の設計用コンピュータＣ２は、必ずしも意匠パネルのシミュレーション設計専用として用いる必要はなく、例えばパネル販売部門の営業用のコンピュータ等を兼用してもよい。
【００２１】
上記の構成において、パネル表面に所望の表面テクスチャーを有する意匠パネルをシミュレーション設計するに当たっては、例えばＡＬＣパネルを製造する会社や工場の設計担当者等の作業者が単独で前記の設計用コンピュータＣ２を操作して設計することも勿論できるが、例えば上記作業者が建築物のデザイナや設計または施工業者もしくはオーナー等の顧客の意向を聞きながら上記コンピュータＣ２を操作して設計することも可能であり、本発明は特に後者の場合に有効である。
【００２２】
以下、設計担当者等の作業者が顧客の意向を聞きながら設計用コンピュータＣ２を操作して所望の意匠パネルを設計し、次いで前記の加工機およびその制御用コンピュータＣ１により上記の意匠パネルを生産するプロセスの一例を、図４に示すフローチャートに従って順を追って説明する。
【００２３】
先ず、上記作業者が設計用コンピュータＣ２および意匠パネル設計プログラム２５を起動して意匠パネルのシミュレーション設計を開始する（ステップＳ１）。それによって上記設計用コンピュータＣ２の液晶ディスプレイ等よりなる表示部１１の表示画面上にＡＬＣパネル全体の表面形状が表示される。次いで、顧客の意向を聞きながら表面テクスチャー保存テーブル２４に保存された複数種類の表面テクスチャーの画像データの中から選択的に抽出して、その画像データを上記ＡＬＣパネルの表示画面上に貼付けるようにして意匠パネルをシミュレーション設計していく（ステップＳ２）。
【００２４】
例えば、顧客の意向で前記図３に示すような意匠パネルを設計する場合には、先ず、図２（ｃ）の表面テクスチャーＣを選択して、そのテクスチャ−ＣをＡＬＣパネル１の表面全面に適用する。それによってＡＬＣパネル１の表面全面にタイルを模したような横長の長方形状の領域１ａが縦横に規則的に並び、その長方形状の領域１ａ以外の領域１ｂが目地溝を模したような表面テクスチャー（加工パターン）が表示される。次いで、上記領域１ａのうちの所望の領域に図２（ａ）および（ｂ）の表面テクスチャーＡ，Ｂを選択的に貼り付けて行けばよい。
【００２５】
上記のようにして意匠パネルのシミュレーション設計が完了したところで、前記表示部１１の表示画面上で完成した意匠パネルを顧客に提示（ステップＳ３）し、顧客の意向に沿うか否かを確認する（ステップＳ４）。そして、顧客の意向に沿わない場合には一部を修正したり、シミュレーション設計をし直して顧客の意向に沿う意匠パネルが得られるまで上記の作業を繰り返す。なお、上記のシミュレーション設計を行う際に、顧客が表示部１１の表示画面上に表示される表面テクスチャーＡ〜Ｃ等の画像データのみでは実際の表面テクスチャーやパネル全体の意匠を把握しづらい場合には、実際の表面テクスチャーの現物写真または現物見本を顧客に提示することによって、なるべく現物に即した意匠設計ができるようにするのが望ましい。
【００２６】
そして顧客の意向に沿う意匠パネルが得られたところで、その意匠パネルに決定（ステップＳ５）し、その意匠パネルを生産する指示と、その意匠パネルを生産するのに必要な加工情報を加工機制御用コンピュータＣ１に送信する（ステップＳ６）。そして、上記の生産指示に従って加工機制御用コンピュータＣ１の加工機制御プログラム１４を起動して上記加工情報に従って意匠パネルを自動生産（ステップＳ７）すればよい。なお、上記加工情報の送信時期および送信内容等は前述のように適宜変更可能であり、さらに意匠パネルの生産枚数は１品生産から量産まで任意に且つ容易に対応することができる。
【００２７】
ところで、前記のような表面テクスチャーを切削加工して形成する際、特に薄手のＡＬＣパネルにあっては、上記切削加工の加工深さや上記切削加工による欠損率は、所定の限界値を超えないように注意する必要がある。例えば木製軸組造の屋外側被覆材として用いられるＪＩＳ Ａ ５４１６（軽量気泡コンクリートパネル）の薄型パネルにあっては、厚さが３５．３７±２（ｍｍ）に規定され、溝部や凹凸加工の凹部の深さは７ｍｍ以下、最小厚さは３０ｍｍ以上に規定さている。また被覆材（パネル）全体積（端部切欠き部を除く）に対する被覆材裏面から３５ｍｍ以下の溝部または凹凸加工の凹部の欠損容積の割合（容積欠損率）は、４．７３％以下と規定されている
【００２８】
この場合、上記溝部や凹凸加工の凹部の深さ及び最小厚さは、加工機の深さ方向への移動を規制することで比較的容易に対応可能であるが、上記の容積欠損率は表面テクスチャーの種類や適用面積等によっても大きく変動するので加工機の深さ方向への移動規制のみでは対応できない。また上記のような容積欠損率は意匠パネルを加工もしくは生産する際に測定するのでは遅すぎるので、意匠パネルをシミュレーション設計する際にチェックするのが望ましい。
【００２９】
そこで、以下の実施形態においては、意匠パネルをシミュレーション設計する際に上記の容積欠損率を自動的にチェックして、下回ったときには警告を発して再設計を促すようにしたもので、以下そのプロセスの一例を、図５に示すフローチャートに基づいて具体的に説明する。先ず、設計担当者等の作業者が前記実施形態と同様に設計用コンピュータＣ２および意匠パネル設計プログラム２５を起動して意匠パネルのシミュレーション設計を開始（ステップＳ１）し、顧客の意向を聞きながら意匠パネルをシミュレーション設計する（ステップＳ２）。以上は前記図４の場合と同様である。
【００３０】
次いで、上記のシミュレーション設計した意匠パネルの容積欠損率が前記の所定の許容下限値（４．７３％）を下回らないか否かを自動的にチェックする（ステップＳ２１）。その具体的な手段としては、例えば前記複数種類の表面テクスチャーＡ〜Ｃ等ごとに加工単位面積当たりの容積欠損率（加工深さを変える場合は加工深さに応じた容積欠損率）を予め算定しておき、設計した意匠パネルの各表面テクスチャーの総面積と、各表面テクスチャーの加工単位面積当たりの容積欠損率とを掛けた値を合算して、その合計が上記の許容範囲を超えるか否かを判定するプログラム等を例えば設計用コンピュータＣ２の記憶部２３等に格納しておき、意匠パネルのシミュレーション設計が終了した時点で自動的にチェックするようにすればよい。
【００３１】
上記のようにして容積欠損率が、所定の許容範囲内であるか否かをチェックして許容範囲を下回った場合には、ブザー等の警告音や警告表示等の警告を発して再設計を促す（ステップＳ２２）。それによって上記意匠パネルの一部を修正したり、シミュレーション設計をし直して容積欠損率が許容範囲内になるまで設計を繰り返す。そして容積欠損率が許容範囲内になったところで設計した意匠パネルを前記と同様に顧客に提示（ステップＳ３）して顧客の意向に沿うか否かを確認（ステップＳ４）し、顧客の意向に沿わない場合には一部を修正したり、シミュレーション設計をし直して顧客の意向に沿う意匠パネルが得られるまで上記の作業を繰り返す。その場合にも意匠パネルを作成（ステップＳ２）する度毎に、前記の容積欠損率の自動的チェック（ステップＳ２１）を行い、容積欠損率が所定の許容範囲を下回った場合には再設計する（ステップＳ２２およびＳ２）。
【００３２】
そして顧客の意向に沿う意匠パネルが得られたところで、その意匠パターンに決定（ステップＳ５）し、以後は前記の場合と同様の要領で上記意匠パネルの生産指示および加工情報の送信（ステップＳ６）を行って、上記意匠パネルを自動生産（ステップＳ７）すればよい。
【００３３】
なお前記実施形態は、タイルを模したような横長の長方形状の領域１ａと、目地溝を模したような領域１ｂとからなる表面テクスチャーＣをＡＬＣパネル１の表面全面に施し、上記領域１ａのうちのいずれかに表面テクスチャーＡ，Ｂを選択的に施すようにしたが、上記のようなタイルや目地溝を模した領域１ａ，１ｂはＡＬＣパネル表面の一部にのみ設けてもよく、あるいは全く設けることなく、ＡＬＣパネル１の表面全面を表面テクスチャーＡ，Ｂのような粗面加工や非加工領域のみで構成することもできる。
【産業上の利用可能性】
【００３４】
以上のように本発明によれば、パネル表面に所望の表面テクスチャーを有する意匠パネルを容易・迅速にシミュレーション設計すると共に、その設計した意匠パネルを簡単・確実に生産することができる。特に、建築物のデザイナやオーナー等の顧客の意向を聞きながら、その意向に沿う意匠パネルを容易・迅速に設計および生産することが可能となるもので、最近ますます多様化する傾向にあるＡＬＣパネルの表面意匠のデザイン設計および生産に有効・適切に適用できるものである。
【図面の簡単な説明】
【００３５】
【図１】本発明によるＡＬＣパネルの意匠設計および生産システムの一部であるコンピュータシステムの一例を示す説明図。
【図２】（ａ）〜（ｃ）は表面テクスチャーの一例を示す説明図。
【図３】本発明により作成したＡＬＣパネルの一例を示す正面図。
【図４】本発明によりＡＬＣパネルの意匠設計および生産するプロセスの一例を示すフローチャート。
【図５】本発明によりＡＬＣパネルの意匠設計および生産するプロセスの他の例を示すフローチャート。
【符号の説明】
【００３６】
１  ＡＬＣパネル（意匠パネル）
１ａ，１ｂ  領域
Ｃ１  加工機制御用コンピュータ
Ｃ２  設計用コンピュータ
１０、２０  情報処理部
１１、２１  表示部  
１２，２２  入力部
１３、２３  記憶部
１４  加工機制御プログラム
１５ａ〜１５ｃ  表面テクスチャー加工プログラム
２４  表面テクスチャー保存テーブル
２５  意匠パネル設計プログラム
２６  意匠パネル加工情報自動送信プログラム
【図１】
2007279874.tif 000003
【図２】
2007279874.tif 000004
【図３】
2007279874.tif 000005
【図４】
2007279874.tif 000006
【図５】
2007279874.tif 000007